(57)【要約】【課題】フィルタの通気面積を減少させることなく、フィルタを片手で簡単に固定できるフィルタの固定構造を提供することである。【解決手段】外枠１の内側面１ａの複数箇所に、先端側に軸部２ａから直角に張り出す押さえ部２ｂを設けた棒状固定具２を、押さえ部２ｂが外枠１の内側面１ａよりも前方へ突出するように、軸部２ａを外枠１の内側面１ａと直角方向に沿わせて、回動可能かつ軸方向へ移動可能に取り付けて、これらの棒状固定具２を外枠１の奥底側へワイヤばね３で付勢し、各棒状固定具２を回動させて、その押さえ部２ｂでフィルタ１０の前面側の辺縁部を外枠１の奥底側へ押さえ付けることにより、フィルタ１０の通気面積を減少させることなく、フィルタ１０を片手で簡単に固定できるようにした。【選択図】図１
2006159107.tif 000002
【特許請求の範囲】
【請求項１】
空気の流通口に設置される外枠内にフィルタを挿入し、フィルタの後面側を前記外枠の奥底側に押し当てて固定するフィルタの固定構造において、前記外枠の側面の複数箇所に、先端側に軸部から直角に張り出す押さえ部を設けた棒状固定具を、この押さえ部が前記外枠の側面よりも前方へ突出するように、軸部を外枠の側面と直角方向に沿わせて、軸部の回りに回動可能かつ軸方向へ移動可能に取り付けて、これらの棒状固定具を外枠の奥底側へ付勢する手段を設け、前記各棒状固定具を回動させて、その押さえ部で前記フィルタの前面側の辺縁部を前記外枠の奥底側へ押さえ付けるようにしたことを特徴とするフィルタの固定構造。
【請求項２】
前記棒状固定具を前記外枠の内側面に沿わせて取り付けた請求項１に記載のフィルタの固定構造。
【請求項３】
前記棒状固定具を外枠の奥底側へ付勢する手段が、前記外枠の側面に前記棒状固定具の軸部の両側で両端部を固定したワイヤばねを棒状固定具の軸部に係止して、前記棒状固定具を外枠の奥底側へ付勢するものである請求項１または２に記載のフィルタの固定構造。
【請求項４】
前記ワイヤばねの両端部と前記棒状固定具の軸部を係止する部分との間に湾曲部を設けた請求項３に記載のフィルタの固定構造。
【請求項５】
前記湾曲部を前記外枠の側面の前方側へ凸状に湾曲するものとした請求項４に記載のフィルタの固定構造。
【請求項６】
前記棒状固定具とワイヤばねとを、前記外枠の側面に着脱可能とした請求項３乃至５のいずれかに記載のフィルタの固定構造。
【発明の詳細な説明】
【技術分野】
【０００１】
本発明は、空気の流通口に設置される外枠内へのフィルタの固定構造に関するものである。
【背景技術】
【０００２】
空調や換気用等に使用されるフィルタには、空調設備や換気設備等の空気の流通口に設置される外枠内に挿入されて、フィルタの後面側を外枠の奥底側に押し当てて固定され、交換可能とされたものがある。このようなフィルタの固定構造としては、外枠の側面に押さえ金具や押さえ桟を取り付け、これらの押さえ金具等をねじで締め付けることにより、フィルタの前面側を押さえ付ける方法が多く採用されていた。
【０００３】
このように押さえ金具等をねじで締め付けてフィルタを固定する構造は、フィルタの交換に手間がかかる問題があった。また、外枠が設置される空気の流通口は高所に設けられることが多いので、高所でのねじ締め作業は危険を伴う問題もあった。さらに、ねじの締め付けは人の手加減で行なわれるので、フィルタの押さえ付け力が一定せず、外枠の奥底との間に隙間が生じて空気がリークしたり、押さえ付け力が強すぎてフィルタが変形したりする問題もあった。
【０００４】
これらの問題に対して、ねじ締め手段を用いずにフィルタを固定する固定構造として、Ｌ型のスライド板部と、スライド板部の一方端面に回動可能に取り付けたレバー部と、レバー部に一端が引掛けられるフィルタ押さえ部とからなる固定金具を用い、外枠の一方側面にスライド板部がスライドして挿入される受け部を設けるとともに、外枠の他方側面にフィルタ押さえ部の他端が掛着される引掛け部を設け、レバー部を開放状態として外枠の引掛け部にフィルタ押さえ部の他端を掛着し、レバー部を回動させるとともにスライド板部を外枠の受け部に押し込むことにより、外枠に挿入したフィルタを固定するようにしたものが提案されている（例えば、特許文献１参照）。
【０００５】
【特許文献１】特開２００２−５８９３３号公報（第３−４頁、第１−３図）
【発明の開示】
【発明が解決しようとする課題】
【０００６】
特許文献１に記載されたフィルタの固定構造は、フィルタの押さえ付け力は一定にできるが、固定金具が別体のスライド板部とフィルタ押さえ部とからなり、これらをそれぞれ外枠の一方側面の受け部と他方側面の引掛け部に装着するのに両手を必要とするので、フィルタの固定を手放し状態で行なうことになり、高所での作業に危険を伴う問題が解消されていない。
【０００７】
また、スライド板部の一部とフィルタ押さえ部とが、従来の押さえ桟と同様に、フィルタの前面に差し渡されるので、フィルタの通気面積が減少する問題もある。
【０００８】
そこで、本発明の課題は、フィルタの通気面積を減少させることなく、フィルタを片手で簡単に固定できるフィルタの固定構造を提供することである。
【課題を解決するための手段】
【０００９】
上記の課題を解決するために、本発明は、空気の流通口に設置される外枠内にフィルタを挿入し、フィルタの後面側を前記外枠の奥底側に押し当てて固定するフィルタの固定構造において、前記外枠の側面の複数箇所に、先端側に軸部から直角に張り出す押さえ部を設けた棒状固定具を、この押さえ部が前記外枠の側面よりも前方へ突出するように、軸部を外枠の側面と直角方向に沿わせて、軸部の回りに回動可能かつ軸方向へ移動可能に取り付けて、これらの棒状固定具を外枠の奥底側へ付勢する手段を設け、前記各棒状固定具を回動させて、その押さえ部で前記フィルタの前面側の辺縁部を前記外枠の奥底側へ押さえ付ける構成を採用した。
【００１０】
すなわち、外枠の側面の複数箇所に、先端側に軸部から直角に張り出す押さえ部を設けた棒状固定具を、この押さえ部が外枠の側面よりも前方へ突出するように、軸部を外枠の側面と直角方向に沿わせて、軸部の回りに回動可能かつ軸方向へ移動可能に取り付けて、これらの棒状固定具を外枠の奥底側へ付勢する手段を設けることにより、各棒状固定具を回動させて、その押さえ部でフィルタの前面側の辺縁部を外枠の奥底側へ押さえ付け、フィルタの通気面積を減少させることなく、フィルタを片手で簡単に固定できるようにした。
【００１１】
前記棒状固定具を前記外枠の内側面に沿わせて取り付けることにより、外枠の外観を良くすることができる。
【００１２】
前記棒状固定具を外枠の奥底側へ付勢する手段を、前記外枠の側面に前記棒状固定具の軸部の両側で両端部を固定したワイヤばねを棒状固定具の軸部に係止して、前記棒状固定具を外枠の奥底側へ付勢するものとすることにより、フィルタの押さえ付け力を一定にすることができる。
【００１３】
前記ワイヤばねの両端部と前記棒状固定具の軸部を係止する部分との間に湾曲部を設けることにより、棒状固定具の軸方向への移動量に余裕を持たせ、フィルタの固定作業をよりしやすくすることができる。
【００１４】
前記湾曲部を前記外枠の側面の前方側へ凸状に湾曲するものとすることにより、棒状固定具を外枠の奥底側へ付勢する力を十分に確保することができる。
【００１５】
前記棒状固定具とワイヤばねとを、前記外枠の側面に着脱可能とすることにより、フィルタの厚みに応じて棒状固定具とワイヤばねを交換することができる。
【発明の効果】
【００１６】
本発明のフィルタの固定構造は、外枠の側面の複数箇所に、先端側に軸部から直角に張り出す押さえ部を設けた棒状固定具を、この押さえ部が外枠の側面よりも前方へ突出するように、軸部を外枠の側面と直角方向に沿わせて、軸部の回りに回動可能かつ軸方向へ移動可能に取り付けて、これらの棒状固定具を外枠の奥底側へ付勢する手段を設けることにより、各棒状固定具を回動させて、その押さえ部でフィルタの前面側の辺縁部を外枠の奥底側へ押さえ付けるようにしたので、フィルタの通気面積を減少させることなく、フィルタを片手で簡単に固定することができる。
【００１７】
前記棒状固定具を前記外枠の内側面に沿わせて取り付けることにより、外枠の外観を良くすることができる。
【００１８】
前記棒状固定具を外枠の奥底側へ付勢する手段を、外枠の側面に棒状固定具の軸部の両側で両端部を固定したワイヤばねを棒状固定具の軸部に係止して、棒状固定具を外枠の奥底側へ付勢するものとすることにより、フィルタの押さえ付け力を一定にすることができる。
【００１９】
前記ワイヤばねの両端部と棒状固定具の軸部を係止する部分との間に湾曲部を設けることにより、棒状固定具の軸方向への移動量に余裕を持たせ、フィルタの固定作業をよりしやすくすることができる。
【００２０】
前記湾曲部を外枠の側面の前方側へ凸状に湾曲するものとすることにより、棒状固定具を外枠の奥底側へ付勢する力を十分に確保することができる。
【００２１】
前記棒状固定具とワイヤばねとを、外枠の側面に着脱可能とすることにより、フィルタの厚みに応じて棒状固定具とワイヤばねを交換することができる。
【発明を実施するための最良の形態】
【００２２】
以下、図面に基づき、本発明の実施形態を説明する。このフィルタの固定構造は、図１に示すように、空気の流通口に設置され、フィルタ１０が挿入される外枠１の内側面１ａに、コーナ部に近い４箇所で、先端側に軸部２ａから直角三角形状に張り出す押さえ部２ｂを設けた棒状固定具２を、押さえ部２ｂが外枠１の内側面１ａよりも前方へ突出するように、軸部２ａを外枠１の内側面１ａと直角方向に沿わせて取り付け、これらの棒状固定具２をワイヤばね３で外枠１の奥底に設けられたフランジ１ｂ側へ付勢するようにしたものである。
【００２３】
図２に示すように、前記棒状固定具２の軸部２ａは、外枠１の内側面１ａに設けられた切起こしによる帯部４と一対の内向き爪部５とに回動可能かつ軸方向へ移動可能に挿入され、帯部４と内向き爪部５との間に設けられた環状溝２ｃに、ワイヤばね３の中央部が巻回されて係止されている。なお、棒状固定具２を引き上げたときにその下端が帯部４から抜け出さないように、下端が帯部４から抜け出す前に、環状溝２ｃに巻回されたワイヤばね３が内向き爪部５に当たるようになっている。また、内向き爪部５は、棒状固定具２の下端が帯部４の途中にあるときにワイヤばね３に当たるようになっており、この状態で棒状固定具２を手前側へ倒すことにより、一対の内向き爪部５の間から取り外すことができる。
【００２４】
前記棒状固定具２の環状溝２ｃに巻回されたワイヤばね３は、外枠１の内側面１ａに棒状固定具２の両側で設けられた２つずつの切起こしによる爪部６ａ、６ｂに、屈曲部３ａが設けられた両端部を引掛けて固定されている。また、ワイヤばね３の両端部と環状溝２ｃに巻回された中央部との間には、内側面１ａの前方側へ凸状に湾曲する湾曲部３ｂが設けられている。このワイヤばね３は、図３に示すように、両端の屈曲部３ａの爪部６ａへの引掛けを外すことにより、棒状固定具２と一緒に外枠１から取り外すことができる。
【００２５】
図４および図５は、前記外枠１に挿入したフィルタ１０を固定した状態を示す。フィルタ１０は後面側を外枠１の奥底のフランジ１ｂに押し当てられ、前面側の辺縁部の４箇所を、ワイヤばね３で外枠１の奥底側へ付勢された棒状固定具２の押さえ部２ｂで押さえ付けられている。なお、このフィルタ１０は、プリーツ折りした濾材１１を紙製の内枠１２に納めたものであり、使用後は外枠１から取り外して使い捨てにされる。
【００２６】
つぎに、前記フィルタ１０を外枠１に固定する手順を説明する。まず、図６（ａ）に示すように、棒状固定具２の押さえ部２ｂを外枠１の内側面１ａと平行に回動させた状態でフィルタ１０を外枠１の奥底まで挿入する。こののち、図６（ｂ）に一点鎖線で示すように、押さえ部２ｂを持って棒状固定具２を外枠１の前方へ引っ張り、この状態で、図６（ｂ）に実線で示すように、押さえ部２ｂを内側面１ａと直角に回動させて放すことにより、ワイヤばね３で付勢された棒状固定具２の押さえ部２ｂでフィルタ１０の前面側の辺縁部が押さえ付けられ、フィルタ１０が外枠１に固定される。
【００２７】
上述した実施形態では、棒状固定具の押さえ部を軸部から直角三角形状に張り出すものとしたが、押さえ部は軸部から直角に張り出す部位を有するものであればよく、例えば、軸部から逆Ｌ字形に張り出すものとすることもできる。押さえ部を軸部の軸方向に移動可能な別体で形成し、フィルタの厚みに応じて軸方向位置を調節可能なものとしてもよい。
【００２８】
また、棒状固定具を付勢する手段も実施形態のようなワイヤばねに限定されることはなく、棒状固定具にコイルばねを装着したもの等も採用することができる。
【図面の簡単な説明】
【００２９】
【図１】実施形態のフィルタの固定構造を設けた外枠を示す外観斜視図
【図２】図１の要部を拡大して示す斜視図
【図３】図２のワイヤばねを取り外す状態を示す正面図
【図４】図１の外枠にフィルタを固定した状態を示す外観斜視図
【図５】図４の要部を拡大して示す断面図
【図６】ａ、ｂは、それぞれフィルタを外枠に固定する手順を説明する正面図
【符号の説明】
【００３０】
１  外枠
１ａ  内側面
１ｂ  フランジ
２  棒状固定具
２ａ  軸部
２ｂ  押さえ部
２ｃ  環状溝
３  ワイヤばね
３ａ  屈曲部
３ｂ  湾曲部
４  帯部
５  内向き爪部
６ａ、６ｂ  爪部
１０  フィルタ
１１  濾材
１２  内枠
【図１】
2006159107.tif 000003
【図２】
2006159107.tif 000004
【図３】
2006159107.tif 000005
【図４】
2006159107.tif 000006
【図５】
2006159107.tif 000007
【図６】
2006159107.tif 000008